(57)【要約】【課題】複数種の原水改質装置の間でのカートリッジの共通化に寄与する技術を提供する。【解決手段】第１原水改質装置に用いられるカートリッジ１２を第２原水改質装置１０Ｂに用いるためのアダプタ９２であって、カートリッジ１２に取り付けられるカートリッジ取付部９６と、第２原水改質装置に設けられる受け部９０により受けられる被受け部９８と、を備えるカートリッジ用アダプタ９２である。第２原水改質装置の受け部９０によりカートリッジ１２を直接に受けられない場合でも、その受け部９０によりアダプタ９２を介してカートリッジ１２を受けられる。これに伴い、第２原水改質装置１０Ｂにカートリッジ１２を適切に組み込めるようになり、第１原水改質装置と第２原水改質装置との間でカートリッジの共通化に寄与できる。【選択図】図８
2020006339.tif 000002
【特許請求の範囲】
【請求項１】
第１原水改質装置に用いられるカートリッジを第２原水改質装置に用いるためのアダプタであって、
前記カートリッジに取り付けられるカートリッジ取付部と、
前記第２原水改質装置に設けられる受け部により受けられる被受け部と、を備えるカートリッジ用アダプタ。
【請求項２】
前記カートリッジは、前記第１原水改質装置のカートリッジ接続部に水密的に接続される被接続部を有し、
前記カートリッジ取付部は、前記被接続部に取り付けられる請求項１に記載のカートリッジ用アダプタ。
【請求項３】
前記カートリッジ取付部は、前記被接続部に第１シール部材を介して水密的に取り付けられる請求項２に記載のカートリッジ用アダプタ。
【請求項４】
前記被受け部を含む一部分は、前記カートリッジの長手方向の一方側端部より前記長手方向の一方側に設けられる請求項１から３のいずれかに記載のカートリッジ用アダプタ。
【請求項５】
前記被受け部と前記受け部との間をシールするための第２シール部材を備え、
前記第２シール部材は、前記被受け部に装着される請求項１から４のいずれかに記載のカートリッジ用アダプタ。
【請求項６】
前記受け部は、前記第２原水改質装置に設けられる接続用受け部であり、
本アダプタは、前記カートリッジを前記接続用受け部に脱着自在に接続するための継手部材として機能する請求項１から５のいずれかに記載のカートリッジ用アダプタ。
【請求項７】
前記受け部は、前記第２原水改質装置のカートリッジ収容室に設けられる位置規制用受け部であり、
本アダプタは、前記カートリッジと前記位置規制用受け部との間の隙間を詰めるためのシム部材として機能する請求項１から５のいずれかに記載のカートリッジ用アダプタ。
【請求項８】
請求項１から７のいずれかに記載のカートリッジと、
請求項１から７のいずれかに記載のアダプタと、を備えるカートリッジユニット。
【請求項９】
請求項１から７のいずれかに記載の第２原水改質装置にカートリッジを組み込むための方法であって、
請求項１から７のいずれかに記載のアダプタを取り付けたカートリッジを前記第２原水改質装置に組み込むカートリッジの組み込み方法。
【発明の詳細な説明】
【技術分野】
【０００１】
本発明は、第１原水改質装置に用いられるカートリッジを第２原水改質装置に用いるためのアダプタに関する。
【背景技術】
【０００２】
特許文献１には、カートリッジ収容室が設けられた吐水ヘッドのグリップ部と、そのグリップ部に着脱可能に取り付けられる頭部とを備える原水改質装置が記載されている。カートリッジ収容室には、原水を改質するためのカートリッジを出入口を通して出し入れ可能である。頭部には、カートリッジ収容室の出入口から外側に向かう方向での動きを規制する連絡管が一体化されている。
【先行技術文献】
【特許文献】
【０００３】
【特許文献１】特開２００２−３５６８９１号公報
【発明の概要】
【発明が解決しようとする課題】
【０００４】
カートリッジを組み込もうとする箇所の構造が異なる複数種の原水改質装置を考える。このような複数種の原水改質装置には、通常、個々の原水改質装置に適合した専用のカートリッジが組み込まれる。カートリッジの製造に要するコストを抑える観点からは、複数種の原水改質装置の間でカートリッジの共通化を図れると好ましい。特許文献１の開示技術は、このような観点から特別の対策を講じたものではなく、改良の余地があった。
【０００５】
本発明のある態様は、このような課題に鑑みてなされ、その目的の１つは、複数種の原水改質装置の間でのカートリッジの共通化に寄与する技術を提供することにある。
【課題を解決するための手段】
【０００６】
前述の課題を解決するための本発明の第１態様はカートリッジ用アダプタである。第１態様のアダプタは、第１原水改質装置に用いられるカートリッジを第２原水改質装置に用いるためのアダプタであって、前記カートリッジに取り付けられるカートリッジ取付部と、前記第２原水改質装置に設けられる受け部により受けられる被受け部と、を備える。
【０００７】
第１態様によれば、第２原水改質装置の受け部によりカートリッジを直接に受けられない場合でも、その受け部によりアダプタを介してカートリッジを受けられる。これに伴い、第２原水改質装置にカートリッジを適切に組み込めるようになり、第１原水改質装置と第２原水改質装置との間でカートリッジの共通化に寄与できる。
【図面の簡単な説明】
【０００８】
【図１】第１実施形態の第１原水改質装置の斜視図である。
【図２】第１実施形態の第１原水改質装置の部分断面側面図である。
【図３】第１実施形態の第１原水改質装置のカートリッジを交換している途中の状態を示す図である。
【図４】第１実施形態の原水改質装置の内部に形成される一部の水路に関する説明図である。
【図５】第１実施形態のカートリッジを示す側面断面図である。
【図６】図２の一部の拡大図である。
【図７】第１実施形態の第２原水改質装置の部分断面側面図である。
【図８】図７の一部の拡大図である。
【図９】第１実施形態のカートリッジユニットを示す側面断面図である。
【図１０】第２実施形態の第２原水改質装置の一部の拡大図である。
【図１１】第２実施形態のカートリッジユニットの側面断面図である。
【図１２】第３実施形態の第２原水改質装置の部分断面側面図である。
【図１３】図１２の一部の拡大図である。
【図１４】第３実施形態のカートリッジユニットの側面断面図である。
【発明を実施するための形態】
【０００９】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」や「接続」とは、特に明示がない限り、言及している二者が直接的に言及している条件を満たす場合の他に、他の部材を介して言及している条件を満たす場合も含む。たとえば、「接触」の場合、言及している二者が直接的に接触していてもよいし、他の部材を介して接触していてもよいということである。
【００１０】
まず、実施形態のアダプタを想到するに到った背景から説明する。第１原水改質装置に用いられるカートリッジを第２原水改質装置に用いる場合を考える。第２原水改質装置は、カートリッジを組み込もうとする箇所の構造が第１原水改質装置と異なっている。これに起因して、第２原水改質装置にカートリッジを適切に組み込めないケースがある。これは、たとえば、次の（１）又は（２）のケースである。
【００１１】
（１）第１原水改質装置のカートリッジ接続部に直接に接続されるカートリッジの被接続部を第２原水改質装置の接続用受け部に直接に接続できないケースである。これは、第２原水改質装置の接続用受け部により直接にカートリッジの被接続部を受けられないケースと捉えられる。
【００１２】
（２）第２原水改質装置の接続用受け部にカートリッジの被接続部を直接又は他部材を介して接続できても、カートリッジが大きくがたついてしまうケースである。これは、第２原水改質装置のカートリッジ収容室に対してカートリッジが小さすぎ、両者の間にがたつきの原因となる隙間が形成されることに起因する。これは、第２原水改質装置に設けられる位置規制用受け部により直接にカートリッジの一部を受けられないケースと捉えられる
【００１３】
このような（１）又は（２）の何れかのケースに対する対策として、本実施形態では、カートリッジにアダプタを取り付け、第２原水改質装置の接続用受け部又は位置規制用受け部にアダプタの被受け部を受けさせている。これにより、第２原水改質装置の受け部によりカートリッジを直接に受けられない場合でも、その受け部によりアダプタを介してカートリッジを受けられる。これに伴い、第２原水改質装置にカートリッジを適切に組み込めるようになり、第１原水改質装置と第２原水改質装置の間でのカートリッジの共通化に寄与できる。
【００１４】
ここでの「第２原水改質装置にカートリッジを適切に組み込む」とは、次のことをいう。詳しくは、前述の（１）のケースでいえば、第２原水改質装置の接続用受け部にアダプタを介してカートリッジの被接続部を接続することをいう。また、前述の（２）のケースでいえば、第２原水改質装置のカートリッジ収容室内でのカートリッジのがたつきを抑制しつつ、第２原水改質装置の接続用受け部にカートリッジの被接続部を直接又はアダプタを介して接続することをいう。以下、このような背景のもとでなされた原水改質装置の詳細を説明する。
【００１５】
（第１の実施の形態）
まず、第１原水改質装置１０Ａと第２原水改質装置１０Ｂの共通点から説明する。以下、これらを総称するときは原水改質装置１０という。
【００１６】
図１は、第１実施形態の第１原水改質装置１０Ａの斜視図である。図２は、第１原水改質装置１０Ａの部分断面側面図である。図３は、第１原水改質装置１０Ａのカートリッジ１２を交換している途中の状態を示す図である。
【００１７】
原水改質装置１０は、出入口１４ａを通してカートリッジ１２を出し入れ可能なカートリッジ収容室１４が設けられる装置本体１６と、出入口１４ａから外側に向かう方向でのカートリッジ１２の動きを規制する規制体１８と、装置本体１６を支持する本体ベース２０と、を備える。ここでの「外側に向かう方向」とは、Ｘ方向（後述する）において出入口１４ａから外側に遠ざかる方向をいう。原水改質装置１０は、ユーザにより操作される操作部材２２と、操作部材２２に対する操作を通じて装置本体１６に送り込まれる水の流量や温度を調整可能な弁ユニット２４と、を備える水栓装置でもある。本実施形態の装置本体１６は、吐水部２６から水を吐き出し可能な吐水ヘッドである。
【００１８】
装置本体１６及び規制体１８は、不図示の取付構造を用いて、互いに着脱可能に取り付けられる。取付構造は、たとえば、凸部と凹部を組み合わせた嵌合構造である。装置本体１６及び規制体１８は、カートリッジ収容室１４の出入口１４ａからカートリッジ１２を取り出すときに互いに取り外される。本体ベース２０は、たとえば、流し台、洗面キャビネット等の基体２８に設置される。
【００１９】
図４は、原水改質装置１０の内部に形成される一部の水路に関する説明図である。原水改質装置１０は、吐水部２６に水を供給するための給水路４０を備える。給水路４０は、複数の上流側水路４２Ａ、４２Ｂと下流側水路４４とを有する。複数の上流側水路４２Ａ、４２Ｂには、カートリッジ１２を経由せずに下流側水路４４に原水を送るための原水水路４２Ａと、カートリッジ１２を経由して下流側水路４４に改質水を送るための改質水水路４２Ｂとが含まれる。
【００２０】
原水改質装置１０は、複数の上流側水路４２Ａ、４２Ｂのいずれかに通水経路を切り替え可能な弁機構４６を備える。本実施形態の弁機構４６は切替弁である。原水改質装置１０は、ユーザにより操作されることで弁機構４６を作動させる操作体４８を備える。本実施形態の操作体４８は押しボタンである。
【００２１】
図２に示すように、装置本体１６は、ハウジング５２と、ハウジング５２の内部に配置される内部アセンブリ５４とを備える。ハウジング５２は、第１筒状部５２ａと、第１筒状部５２ａの外周部から突出する第２筒状部５２ｂとを有する。ハウジング５２の第１筒状部５２ａの基端部から第２筒状部５２ｂの根本部までの範囲は、ユーザにより把持される吐水ヘッドのグリップ部５２ｃを構成する。本実施形態のカートリッジ収容室１４は、グリップ部５２ｃの内側、かつ、内部アセンブリ５４の内側に設けられる。本実施形態のカートリッジ収容室１４の出入口１４ａは、本体ベース２０側にある装置本体１６の基端部１６ａに形成される。本実施形態の吐水部２６は、ハウジング５２の第２筒状部５２ｂの先端部にて内部アセンブリ５４に設けられる。
【００２２】
本体ベース２０は、基体２８に支持されるベース本体７０と、ベース本体７０に固定される本体ガイド７２とを備える。本実施形態のベース本体７０は、筒状の胴部７０ａと、胴部７０ａの外周部から突き出るとともにベース孔７０ｃが形成される筒状部７０ｂとを有する。前述の操作部材２２は胴部７０ａの先端部に設けられ、弁ユニット２４は胴部７０ａに内蔵される。本体ガイド７２は、ベース本体７０のベース孔７０ｃに筒状部７０ｂの先端側から差し込まれるとともに留め具によりベース本体７０に固定される。
【００２３】
本体ガイド７２は、給水ホース７４を引き出し可能なホース挿通孔７２ａと、装置本体１６が脱着自在に接続されるとともに装置本体１６の脱着方向に装置本体１６をガイド可能な本体接続部７２ｂとを有する。給水ホース７４は可とう性を持つ素材を用いて構成される。
【００２４】
規制体１８は、全体として有底筒状をなす。本実施形態の規制体１８は、装置本体１６を本体ベース２０に脱着自在に接続する継手部材でもある。規制体１８には、その内側に配置されるホース継手７８を介して給水ホース７４が接続される。カートリッジ収容室１４には規制体１８の内部を通して上流側となる給水ホース７４から水が送り込まれる。
【００２５】
（カートリッジ）
カートリッジ１２は、原水を改質して改質水を生成するためのものである。本明細書での「改質」とは、物理変化や化学変化を経て、特定の成分を原水から除去又は原水に付与することをいう。
【００２６】
カートリッジ１２は長尺体である。以下、カートリッジ１２の長手方向をＸ方向として説明する。このＸ方向の方向軸線を中心とする円の円周方向、半径方向を単に「周方向」、「径方向」という。また、以下、Ｘ方向においてカートリッジ収容室１４の出入口１４ａとは反対側（図２の左上側）をＸ方向の一方側（以下、単に奥側という）とし、Ｘ方向の出入口１４ａ側（図２の右下側）をＸ方向の他方側（以下、単に入口側という）という。
【００２７】
カートリッジ収容室１４の内周面とカートリッジ１２の外周面との間には、原水水路４２Ａの一部となる外部水路５８が形成される。外部水路５８は、カートリッジ１２の改質部６８（後述する）を通してカートリッジ１２の内部に水を送り込むためのものである。
【００２８】
図５は、カートリッジ１２を示す側面断面図である。図２、図５に示すように、本実施形態のカートリッジ１２は、長尺状のカートリッジ本体６０と、カートリッジ本体６０の両端部に取り付けられるエンドキャップ６２，６４とを備える。エンドキャップ６２、６４には、Ｘ方向の入口側にある第１エンドキャップ６２と、奥側にある第２エンドキャップ６４とが含まれる。エンドキャップ６２、６４は、カートリッジ本体６０の端部を受ける有底筒状の本体受け部６２ａ、６４ａを有する。本体受け部６２ａ、６４ａの外周部には径方向外側に突き出る複数のリブ部６２ｂ、６４ｂが形成される。
【００２９】
カートリッジ１２は、その内部に設けられるとともに改質水水路４２Ｂの一部となる第１内部水路６６と、第１外部水路５８と第１内部水路６６の間に設けられる改質部６８とを有する。第１内部水路６６はカートリッジ本体６０や第２エンドキャップ６４の中央部に設けられ、改質部６８はカートリッジ本体６０に設けられる。改質部６８は、第１外部水路５８から第１内部水路６６に水を通すことができ、改質材により原水を改質することで改質水を生成可能である。本実施形態の改質部６８は、複数の不織布等の透水膜間に改質材を収容して構成される。改質材は、たとえば、活性炭、炭酸カルシウム等である。なお、第１内部水路６６と改質部６８との間には透水性を持つ芯材６９が設けられる。
【００３０】
図６は、図２の一部の拡大図である。カートリッジ１２は、カートリッジ１２の奥側部分の一部、詳しくは、カートリッジ１２の奥側端部に設けられる被接続部８０を有する。被接続部８０は、カートリッジ１２の奥側端面部１２ａからＸ方向の奥側に突き出るように設けられる。被接続部８０は、筒状をなし、その内側には第１内部水路６６の一部が形成される。
【００３１】
原水改質装置１０は、装置本体１６に収容される水路形成部材８２を備える。水路形成部材８２は、装置本体１６のカートリッジ収容室１４の奥側部分に収容される。水路形成部材８２には、カートリッジ１２の第１内部水路６６に連通されるとともに改質水水路４２Ｂの一部となる第２内部水路８４が形成される。本図では、第２内部水路８４が通る経路の一部や下流側水路４４が通る経路の一部に矢印を付して示す。本実施形態の水路形成部材８２は弁機構４６を構成する回転弁体である。弁機構４６は、回転弁体が回転することで、複数の上流側水路４２Ａ、４２Ｂのいずれかに通水経路を切り替え可能である。
【００３２】
（第１原水改質装置）
第１原水改質装置１０Ａに関して説明する。第１原水改質装置１０Ａには、カートリッジ収容室１４に収容されるカートリッジ１２の被接続部８０を直接に接続するためのカートリッジ接続部８６が設けられる。本実施形態のカートリッジ接続部８６は、水路形成部材８２の入口側端部に設けられ、筒状をなしている。被接続部８０は、カートリッジ接続部８６にＸ方向に脱着自在に接続される。
【００３３】
カートリッジ１２の被接続部８０は、第１原水改質装置１０Ａのカートリッジ接続部８６に第１シール部材８８を介して水密的に接続される。第１シール部材８８は、Ｏリング等の弾性体である。第１シール部材８８は、第１原水改質装置１０Ａのカートリッジ接続部８６とカートリッジ１２の間に弾性変形した状態で配置され、そのカートリッジ接続部８６とカートリッジ１２の間をシールする。
【００３４】
図２に示すように、第１原水改質装置１０Ａのカートリッジ接続部８６にカートリッジ１２の被接続部８０が接続された状態にあるとき、そのカートリッジ接続部８６からＸ方向で遠ざかる方向でのカートリッジ１２の動きが規制体１８との接触により規制される。
【００３５】
（第２原水改質装置）
第２原水改質装置１０Ｂに関して説明する。図７は、第２原水改質装置１０Ｂの部分断面側面図である。図８は、図７の一部の拡大図である。第２原水改質装置１０Ｂには、カートリッジ１２の被接続部８０を接続するための接続用受け部９０が設けられる。接続用受け部９０は、第２原水改質装置１０Ｂの水路形成部材８２に設けられる。
【００３６】
第２原水改質装置１０Ｂのカートリッジ収容室１４にはカートリッジ１２を収容できるものの、接続用受け部９０にはカートリッジ１２の被接続部８０を直接に接続できない。これは、カートリッジ１２の被接続部８０が接続用受け部９０との接続に適合した構造でないことに起因する。この対策として、次のアダプタ９２を用いる。
【００３７】
（アダプタ）
図９は、カートリッジユニット９３を示す側面断面図である。カートリッジユニット９３は、カートリッジ１２とアダプタ９２を備える。アダプタ９２は、第１原水改質装置１０Ａに用いられるカートリッジ１２を第２原水改質装置１０Ｂに用いるためのものである。本実施形態のアダプタ９２は、第２原水改質装置１０Ｂの接続用受け部９０にカートリッジ１２を脱着自在に接続する継手部材として機能する。
【００３８】
本実施形態のアダプタ９２は、カートリッジ１２の奥側端部とＸ方向に対向する位置に配置される。アダプタ９２は、筒状部９４と、カートリッジ１２に取り付けられるカートリッジ取付部９６と、第２原水改質装置１０Ｂの接続用受け部９０により受けられる被受け部９８と、を備える。
【００３９】
カートリッジ取付部９６は、Ｘ方向においてカートリッジ１２に近い側にある筒状部９４の入口側部分に設けられる。被受け部９８は、カートリッジ取付部９６よりＸ方向においてカートリッジ１２から遠い側にて筒状部９４に設けられる。
【００４０】
本実施形態のカートリッジ取付部９６は、カートリッジ１２の被接続部８０に脱着可能に取り付けられる。カートリッジ取付部９６は、カートリッジ１２の奥側部分の一部となる奥側端部に取り付けられるとも捉えられる。実施形態のカートリッジ取付部９６は、第１シール部材８８を介して被接続部８０に水密的に取り付けられる。第１シール部材８８は、アダプタ９２とカートリッジ１２の間に弾性変形した状態で配置され、これらの間をシールする。第１シール部材８８は、自らの弾性変形に起因する復元力によって、アダプタ９２をカートリッジ１２に取り付ける役割も持つ。
【００４１】
カートリッジ１２の一部及びカートリッジ取付部９６のうちの一方である第１一方部１００Ａの内側には、それらのうちの他方である第１他方部１００Ｂが差し込まれる。本実施形態での第１一方部１００Ａとはカートリッジ取付部９６であり、第１他方部１００Ｂとはカートリッジ１２の被接続部８０である。本実施形態のカートリッジ取付部９６は、第１一方部１００Ａの内側に第１他方部１００Ｂが圧入されることで被接続部８０に取り付けられる。また、本実施形態のカートリッジ取付部９６は、第１シール部材８８の復元力によっても、被接続部８０に取り付けられる。
【００４２】
カートリッジ取付部９６は、カートリッジ１２とＸ方向に対向するアダプタ９２の対向面９６ａに開口する差込口９６ｂを有する。被接続部８０は、カートリッジ取付部９６の差込口９６ｂから差し込まれる。カートリッジ取付部９６の内周部には径方向内側に突き出るアダプタ側段部９６ｃが設けられる。被接続部８０の外周部には径方向外側に突き出るカートリッジ側段部８０ａが設けられる。アダプタ９２の対向面９６ａは、カートリッジ１２の奥側端面部１２ａに突き当てられ、アダプタ９２のアダプタ側段部９６ｃは、カートリッジ１２のカートリッジ側段部８０ａに突き当てられる。
【００４３】
本実施形態の第１シール部材８８は、カートリッジ１２に形成される第１装着部１０２に装着されている。本実施形態の第１装着部１０２は溝状をなし、第１シール部材８８は第１装着部１０２に収められることで第１装着部１０２に装着される。
【００４４】
アダプタ９２の被受け部９８及び第２原水改質装置１０Ｂの接続用受け部９０のうちの一方である第２一方部１０４Ａの内側には、それらのうちの他方である第２他方部１０４Ｂが差し込まれる。本実施形態の第２一方部１０４Ａとは被受け部９８であり、第２他方部１０４Ｂとは接続用受け部９０である。被受け部９８は、接続用受け部９０に第２シール部材１０６を介して水密的に接続される。第２シール部材１０６は、Ｏリング等の弾性体である。第２シール部材１０６は、接続用受け部９０と被受け部９８との間に弾性変形した状態で配置され、これらの間をシールする。
【００４５】
本実施形態の第２シール部材１０６は、第２原水改質装置１０Ｂの接続用受け部９０に形成される第２装着部１０８に装着される。本実施形態の第２装着部１０８は溝状をなし、第２シール部材１０６は第２装着部１０８に収められることで第２装着部１０８に装着される。
【００４６】
アダプタ９２の被受け部９８は、第２原水改質装置１０Ｂの接続用受け部９０に脱着自在に接続されるように受けられる。これにより、前述の継手部材としての機能が果たされる。このようなアダプタ９２は、接続用受け部９０に対する位置が保持されるように接続用受け部９０に接続される。
【００４７】
アダプタ９２は、カートリッジ１２の第１内部水路６６と水路形成部材８２の第２内部水路８４を連通する連通水路１１０を備える。連通水路１１０は、アダプタ９２の筒状部９４の内部をＸ方向に貫通する貫通孔の一部が構成する。継手部材として機能するアダプタ９２は、カートリッジ１２の第１内部水路６６と第２原水改質装置１０Ｂの第２内部水路８４とを連通水路１１０を介して連通する役割も持つ。
【００４８】
図９に示すように、本実施形態のアダプタ９２は、Ｘ方向においてカートリッジ１２に近い側にある第１外径部１１２と、第１外径部１１２よりＸ方向においてカートリッジ１２から遠い側にある第２外径部１１４とを有する。第２外径部１１４の外径は第１外径部１１２の外径より小さくなるように設定される。アダプタ９２の最大外径Ｌａは、カートリッジ１２の最大外径Ｌｃより小さくなるように設定される。本実施形態のアダプタ９２の最大外径Ｌａは、アダプタ９２の第１外径部１１２の外径となる。本実施形態のカートリッジ１２の最大外径Ｌｃは、カートリッジ１２のリブ部６２ｂ，６４ｂの外径となる。
【００４９】
図７に示すように、第２原水改質装置１０Ｂの接続用受け部９０にアダプタ９２を介してカートリッジ１２の被接続部８０が接続された状態にあるとき、その接続用受け部９０からＸ方向で遠ざかる方向でのカートリッジ１２の動きが規制体１８との接触により規制される。
【００５０】
以上の工夫点に関する効果を説明する。実施形態のアダプタ９２のカートリッジ取付部９６はカートリッジ１２に取り付けられ、その被受け部９８は第２原水改質装置１０Ｂの接続用受け部９０に受けられる。これにより、第２原水改質装置１０Ｂの接続用受け部９０によりカートリッジ１２を直接に受けられない場合でも、その接続用受け部９０にアダプタ９２を介してカートリッジ１２を受けられる。本実施形態では、継手部材として機能するアダプタ９２を用いている。よって、第２原水改質装置の接続用受け部９０にカートリッジ１２の被接続部８０を直接に接続できない前述の（１）のケースでも、その接続用受け部９０にアダプタ９２を介してカートリッジ１２の被接続部８０を接続できる。これに伴い、第２原水改質装置１０Ｂにカートリッジ１２を適切に組み込めるようになり、第１原水改質装置１０Ａと第２原水改質装置１０Ｂの間でのカートリッジ１２の共通化に寄与できる。
【００５１】
特に、アダプタ９２の筒状部９４の外径や内径、そのＸ方向での外寸を変更することによって、多種多様な第２原水改質装置１０Ｂにカートリッジ１２を適切に組み込めるようになる。
【００５２】
アダプタ９２のカートリッジ取付部９６は、カートリッジ１２の被接続部８０に取り付けられる。よって、カートリッジ１２の被接続部８０を活用して、カートリッジ１２にアダプタ９２を取り付けられる。
【００５３】
アダプタ９２のカートリッジ取付部９６は、カートリッジ１２の被接続部８０に第１シール部材８８を介して水密的に取り付けられる。よって、第１シール部材８８の復元力を用いてアダプタ９２をカートリッジ１２に取り付けられる。また、アダプタ９２やカートリッジ１２の内部の水路から、アダプタ９２とカートリッジ１２の間を通して外部に水が漏れてしまう事態を避けられる。ここでの内部の水路とは、前述の第１内部水路６６や連通水路１１０をいう。
【００５４】
次に、アダプタ９２の他の特徴を説明する。図９を参照する。本実施形態のアダプタ９２の被受け部９８を含む一部分９２ａは、カートリッジ１２のＸ方向の一方側端部となる奥側端部１２ｃより、長手寸法Ｌｘ１の分だけ、Ｘ方向の一方側となる奥側に設けられる。ここでの長手寸法とは、言及している構成要素のＸ方向に沿った寸法をいう。カートリッジユニット９３の長手寸法Ｌｘ０は、カートリッジ１２の長手寸法Ｌｘ２より、アダプタ９２の一部分９２ａの長手寸法Ｌｘ１の分だけ、長くなることになる。
【００５５】
この利点を説明する。カートリッジ１２の長手寸法Ｌｘ２の不足に起因して、第２原水改質装置１０Ｂの受け部によりカートリッジ１２を受けられない場合を考える。これは、たとえば、カートリッジ１２の被接続部８０が接続用受け部９０との接続に適合した構造であっても、カートリッジ収容室１４の一部１４ｂ（図８参照）にカートリッジ１２が干渉してしまい、接続用受け部９０までカートリッジ１２の被接続部８０が届かない場合である。このような場合でも、本実施形態によれば、アダプタ９２の一部分９２ａの分だけ不足する長手寸法を補うことができ、第２原水改質装置１０Ｂの受け部によりアダプタ９２の被受け部９８を受けさせられる。本実施形態では、カートリッジ１２の長手寸法Ｌｘ２が不足する場合でも、第２原水改質装置１０Ｂの接続用受け部９０に対して、アダプタ９２を介してカートリッジ１２の被接続部８０を接続できるようになる。
【００５６】
カートリッジ取付部９６は、前述の第１一方部１００Ａの内側に第１他方部１００Ｂを差し込むとき、被接続部８０及びカートリッジ取付部９６の径方向での相対移動を案内するためのガイド部９６ｄを有する。本実施形態のガイド部９６ｄは、カートリッジ取付部９６の内周縁部、詳しくは、アダプタ側段部９６ｃの内周縁部に設けられる。本実施形態のガイド部９６ｄは、カートリッジ取付部９６の差込口９６ｂから奥側に向かうにつれて縮径するように形成されるテーパ面である。
【００５７】
前述の第１一方部１００Ａの内側に第１他方部１００Ｂを差し込むとき、カートリッジ１２の被接続部８０をガイド部９６ｄに接触させつつ第１一方部１００Ａの内側に第１他方部１００Ｂを差し込むことで、そのガイド部９６ｄによって、両者の相対移動が案内される。これにより、カートリッジ取付部９６及び被接続部８０の径方向での位置合わせが容易となり、第１一方部１００Ａの内側に第１他方部１００Ｂを差し込み易くなる。
【００５８】
次に、第２原水改質装置１０Ｂにアダプタ９２が取り付けられたカートリッジ１２を組み込む手順を説明する。これは、主に、次の手順を経ることで行われる。
（Ａ１）装置本体１６のカートリッジ収容室１４内に出入口１４ａを通してアダプタ９２が取り付けられたカートリッジ１２を押し込み、カートリッジ収容室１４内にカートリッジ１２を収容する。
（Ａ２）装置本体１６に規制体１８を取り付けて、カートリッジ収容室１４から出入口１４ａを通してカートリッジ１２が抜け出ないようにする。
【００５９】
第２原水改質装置１０Ｂのカートリッジ１２を交換する手順を説明する。これは、主に、次の手順を経ることで行われる。
（Ｂ１）装置本体１６から規制体１８を取り外す。
（Ｂ２）装置本体１６のカートリッジ収容室１４内から出入口１４ａを通して既存のカートリッジ１２を取り出す。
（Ｂ３）（Ａ１）と同様の手順を経て、カートリッジ収容室１４内に新規のカートリッジ１２を収容する。
（Ｂ４）（Ａ２）と同様の手順を経る。
【００６０】
（第２の実施の形態）
図１０は、第２実施形態の第２原水改質装置１０Ｂの一部の拡大図である。図１１は、第２実施形態のカートリッジユニット９３の側面断面図である。第１実施形態では、アダプタ９２の被受け部９８及び第２原水改質装置１０Ｂの接続用受け部９０のうちの一方である第２一方部１０４Ａが被受け部９８であり、それらのうちの他方である第２他方部１０４Ｂが接続用受け部９０である例を説明した。本実施形態の第２一方部１０４Ａは接続用受け部９０であり、第２他方部１０４Ｂは被受け部９８であり、接続用受け部９０の内側に被受け部９８が差し込まれる。
【００６１】
第１実施形態の第２シール部材１０６は、第２原水改質装置１０Ｂの接続用受け部９０に形成される第２装着部１０８に装着される例を説明した。本実施形態の第２シール部材１０６は、アダプタ９２の被受け部９８に形成される第２装着部１０８に装着される。アダプタ９２は、第２シール部材１０６を備えることになる。これにより、第２原水改質装置１０Ｂの接続用受け部９０にシール部材がなくとも、その接続用受け部９０とアダプタ９２の間を第２シール部材１０６によりシールできる。
【００６２】
第１実施形態のアダプタ９２の筒状部９４は第１外径部１１２と第２外径部１１４を有する例を説明した。本実施形態のアダプタ９２の筒状部９４はＸ方向の全長に亘り同等の外径に設定される。また、アダプタ９２の最大外径Ｌａは、カートリッジ１２の最大外径Ｌｃと同等の大きさに設定される。
【００６３】
（第３実施形態）
図１２は、第３実施形態の第２原水改質装置１０Ｂの部分断面側面図である。図１３は、図１２の一部の拡大図である。図１４は、第３実施形態のカートリッジユニット９３の側面断面図である。
【００６４】
本実施形態では、第２原水改質装置１０Ｂにカートリッジ１２を適切に組み込めないケースとして、前述の（２）のケースを説明する。本実施形態のカートリッジ１２の被接続部８０は、第１実施形態と異なり、第２原水改質装置１０Ｂの接続用受け部９０にアダプタ９２を介さずに直接に接続される。
【００６５】
本実施形態のカートリッジ１２は、Ｘ方向での外寸がカートリッジ収容室１４のＸ方向での内寸より小さすぎ、両者の間にがたつきの原因となる隙間１１６が形成される。この隙間１１６は、本実施形態において、カートリッジ１２の入口側端部１２ｄとカートリッジ収容室１４を形成する規制体１８との間に形成される。
【００６６】
本実施形態のアダプタ９２は、第２原水改質装置１０Ｂの規制体１８とカートリッジ１２との間の隙間１１６を詰めるシム部材として機能する。シム部材としてのアダプタ９２は、このような隙間１１６を少なくとも部分的に詰めるためのものである。これにより、規制体１８によってアダプタ９２を介してカートリッジ１２を受けられるようになる。
【００６７】
規制体１８の一部は、カートリッジ１２を受けるとともにカートリッジ収容室１４内でのカートリッジ１２の位置を規制するための位置規制用受け部１１８を構成していると捉えられる。位置規制用受け部１１８は、カートリッジ収容室１４内でのカートリッジ１２のＸ方向での位置を規制することで、カートリッジ１２のがたつきを規制する。位置規制用受け部１１８は、接続用受け部９０とは別に第２原水改質装置１０Ｂに設けられる。
【００６８】
本実施形態のアダプタ９２は、カートリッジ１２の入口側端部１２ｄとＸ方向に対向する位置に配置される。本実施形態のアダプタ９２は、カートリッジ１２に取り付けられるカートリッジ取付部９６と、第２原水改質装置１０Ｂの位置規制用受け部１１８により受けられる被受け部９８と、を備える。
【００６９】
カートリッジ取付部９６は、カートリッジ１２の入口側部分の一部、詳しくは、その入口側端部１２ｄに取り付けられる。本実施形態のカートリッジ取付部９６は、第１一方部１００Ａとしてのカートリッジ取付部９６の内側に、第１他方部１００Ｂとしてのカートリッジ１２の一部を圧入を伴い差し込むことで、カートリッジ１２に取り付けられる。このように、アダプタ９２のカートリッジ取付部９６は、アダプタ９２の被接続部８０以外の箇所に取り付けられていてもよい。
【００７０】
アダプタ９２の被受け部９８は、第２原水改質装置１０Ｂの位置規制用受け部１１８に分離自在に支持されるように受けられる。これにより、前述のシム部材としての機能が果たされる。
【００７１】
本実施形態によれば、第２原水改質装置１０Ｂの位置規制用受け部１１８によりカートリッジ１２を直接に受けられないケースでも、その位置規制用受け部１１８によりアダプタ９２を介してカートリッジ１２を受けられる。これにより、カートリッジ収容室１４内でのカートリッジ１２のがたつきを抑制しつつ、第２原水改質装置１０Ｂの接続用受け部９０にカートリッジ１２の被接続部８０を接続できる。これに伴い、第２原水改質装置１０Ｂにカートリッジ１２を適切に組み込めるようになり、第１原水改質装置１０Ａと第２原水改質装置１０Ｂの間でのカートリッジ１２の共通化に寄与できる。
【００７２】
以上、実施形態をもとに本発明を説明した。次に、各構成要素の変形例を説明する。
【００７３】
原水改質装置１０は、装置本体１６に吐水部２６が設けられたスパウトインタイプを例に説明したが、アンダーシンクタイプ、据え置きタイプ、蛇口直結タイプでもよい。また、スパウトインタイプの原水改質装置１０の場合、操作部材２２や弁ユニット２４を備えていなくともよい。
【００７４】
装置本体１６は、本体ベース２０を介して基体２８に支持される例を説明したが、基体２８に直接に支持されていてもよい。これは、たとえば、アンダーシンクタイプ、据え置きタイプの原水改質装置１０を想定している。
【００７５】
カートリッジ１２の原水の改質態様として、原水の浄化を例に説明したが、これに限定されない。たとえば、美容成分、臭い成分、炭酸成分、水素成分の付与等でもよい。
【００７６】
規制体１８は、継手部材を例に説明したが、その具体例は特に限定されない。たとえば、吐水ヘッドを互いに別体のグリップ部と頭部により構成し、グリップ部を装置本体１６、頭部を規制体１８としてもよい。規制体１８は、装置本体１６を本体ベース２０に脱着自在に接続していなくともよい。実施形態では本体ベース２０から給水ホース７４を引き出し可能な例を説明したが、給水ホース７４を引き出し可能ではなくともよいということである。
【００７７】
装置本体１６及び規制体１８を互いに脱着可能に取り付けるための具体的手段は特に限定されない。たとえば、このような具体的手段としては、クリップ等の留め具、ねじ構造等を用いてもよい。
【００７８】
カートリッジ１２に対するアダプタ９２のカートリッジ取付部９６の取付態様は特に限定されない。たとえば、圧入、ねじ構造、嵌合構造、スナップフィット、磁力等を用いてもよい。
【００７９】
アダプタ９２のカートリッジ取付部９６は、第１シール部材８８を介さずに、カートリッジ１２の被接続部８０に取り付けられてもよい。第１シール部材８８は、カートリッジ１２の第１装着部１０２に装着される例を説明したが、アダプタ９２に形成される第１装着部１０２に装着されてもよい。
【００８０】
継手部材として機能するアダプタ９２は、カートリッジ１２の第１内部水路６６と第２原水改質装置１０Ｂの第２内部水路８４とを連通する役割を持たなくともよい。アダプタ９２は、単に、第２原水改質装置１０Ｂの接続用受け部９０にカートリッジ１２を接続する役割のみを持っていてもよいということである。この場合、第２原水改質装置１０Ｂの接続用受け部９０は、第２原水改質装置１０Ｂの水路形成部材８２以外の箇所に設けられてもよい。たとえば、規制体１８に接続用受け部９０を設け、その接続用受け部９０にアダプタ９２の被受け部９８が接続されてもよい。
【００８１】
シム部材として機能するアダプタ９２は、カートリッジ収容室１４内でのカートリッジ１２の径方向での位置を規制していてもよい。
【００８２】
第２原水改質装置１０Ｂには、アダプタ９２が取り付けられていない専用の他のカートリッジが組み込まれてもよい。
【００８３】
カートリッジ１２には、継手部材として機能するアダプタ９２とともに、シム部材として機能する他のアダプタ９２を取り付けてもよい。
【００８４】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００８５】
以上の実施形態、変形例により具体化される発明を一般化すると、以下の技術的思想が導かれる。以下、発明が解決しようとする課題に記載の態様を用いて説明する。
【００８６】
第２態様のカートリッジ用アダプタは、第１態様において、前記カートリッジは、前記第１原水改質装置のカートリッジ接続部に水密的に接続される被接続部を有し、前記カートリッジ取付部は、前記被接続部に取り付けられてもよい。
この態様によれば、カートリッジの被接続部を活用して、カートリッジにアダプタを取り付けられる。
【００８７】
第３態様のカートリッジ用アダプタは、第２態様において、前記カートリッジ取付部は、前記被接続部に第１シール部材を介して水密的に取り付けられてもよい。
この態様によれば、第１シール部材の復元力を用いてアダプタをカートリッジに取り付けられる。
【００８８】
第４態様のカートリッジ用アダプタは、第１態様から第３態様のいずれかにおいて、前記被受け部を含む一部分は、前記カートリッジの長手方向の一方側端部より前記長手方向の一方側に設けられてもよい。
カートリッジの長手寸法の不足に起因して、第２原水改質装置の受け部によりカートリッジを受けられない場合を考える。この態様によれば、このような場合でも、アダプタの一部分の分だけ不足する長手寸法を補うことができ、第２原水改質装置の受け部によりアダプタの被受け部を受けさせられる。
【００８９】
第５態様のカートリッジ用アダプタは、第１態様から第４態様のいずれかにおいて、前記被受け部と前記受け部との間をシールするための第２シール部材を備え、前記第２シール部材は、前記被受け部に装着されてもよい。
この態様によれば、第２原水改質装置に第２シール部材がなくとも、アダプタに装着された第２シール部材によって、第２原水改質装置の受け部とアダプタの間をシールできる。
【００９０】
第６態様のカートリッジ用アダプタは、第１態様から第５態様のいずれかにおいて、前記受け部は、前記第２原水改質装置に設けられる接続用受け部であり、本アダプタは、前記カートリッジを前記接続用受け部に脱着自在に接続するための継手部材として機能してもよい。
この態様によれば、第２原水改質装置の接続用受け部にカートリッジの被接続部を直接に接続できないケースでも、その接続用受け部にアダプタを介してカートリッジの被接続部を接続できる。
【００９１】
第７態様のカートリッジ用アダプタは、第１態様から第６態様のいずれかにおいて、前記受け部は、前記第２原水改質装置のカートリッジ収容室に設けられる位置規制用受け部であり、本アダプタは、前記カートリッジと前記位置規制用受け部との間の隙間を詰めるためのシム部材として機能してもよい。
この態様によれば、第２原水改質装置の位置規制用受け部によりカートリッジを直接に受けられないケースでも、その位置規制用受け部によりアダプタを介してカートリッジを受けられる。
【００９２】
第８態様はカートリッジユニットである。第８態様のカートリッジユニットは、第１態様から第７態様のいずれかのカートリッジと、第１態様から第７態様のいずれかのアダプタとを備える。
本態様のカートリッジユニットには、カートリッジとアダプタが分離した状態で譲渡、貸与等されるものも権利範囲に含まれる。
【００９３】
第９態様はカートリッジの組み込み方法である。第９態様は、第１態様から第７態様のいずれかに記載の第２原水改質装置にカートリッジを組み込むための方法であって、第１態様から第７態様に記載のアダプタを取り付けたカートリッジを前記第２原水改質装置に組み込む方法である。
【符号の説明】
【００９４】
１０Ａ…第１原水改質装置、１０Ｂ…第２原水改質装置、１２…カートリッジ、１４…カートリッジ収容室、８０…被接続部、８６…カートリッジ接続部、８８…第１シール部材、９０…接続用受け部（受け部）、９２…カートリッジ用アダプタ、９３…カートリッジユニット、９６…カートリッジ取付部、９８…被受け部、１０６…第２シール部材、１１６…隙間、１１８…位置規制用受け部（受け部）。
【図１】
2020006339.tif 000003
【図２】
2020006339.tif 000004
【図３】
2020006339.tif 000005
【図４】
2020006339.tif 000006
【図５】
2020006339.tif 000007
【図６】
2020006339.tif 000008
【図７】
2020006339.tif 000009
【図８】
2020006339.tif 000010
【図９】
2020006339.tif 000011
【図１０】
2020006339.tif 000012
【図１１】
2020006339.tif 000013
【図１２】
2020006339.tif 000014
【図１３】
2020006339.tif 000015
【図１４】
2020006339.tif 000016